(57)【要約】【課題】  複数の放電灯点灯装置間における累積点灯時間の計時誤差を減少させることができる放電灯点灯装置、照明器具、及び照明システムを提供する。【解決手段】  外部から供給された商用電源の交流電源電圧波形のゼロクロスタイミングを計数する点灯時間カウンタ１４と、点灯時間カウンタ１４の計数値を累積的に記憶する不揮発性メモリからなる点灯時間記憶部１５と、点灯時間記憶部１５に記憶されているゼロクロスタイミングの計数値に応じて、放電灯５の明るさを調節する調光制御部１７とを備えた。【選択図】      図３
2005209541.tif 000002
【特許請求の範囲】
【請求項１】
交流電源の入力を受け付ける電源受付部を備え、前記電源受付部により受け付けられた交流電源から得られた電力を放電灯に供給することにより前記放電灯を発光させる放電灯点灯装置であって、
前記電源受付部により受け付けられた交流電源電圧波形の周期的な特徴点を計数する計数部と、
前記計数部により累積的に計数された第１の計数値に応じて、前記放電灯の明るさを調節する調光制御部とを備えることを特徴とする放電灯点灯装置。
【請求項２】
前記調光制御部は、前記放電灯における発光時間の経過に伴う明るさの低下を抑制するべく、前記放電灯の明るさを調節するものであることを特徴とする請求項１記載の放電灯点灯装置。
【請求項３】
前記調光制御部は、前記電源受付部により前記交流電源の入力が受け付けられた状態において、前記放電灯を消灯させる消灯モードを有し、
前記計数部は、前記消灯モードにおいては、前記第１の計数値を計数しないことを特徴とする請求項１又は２記載の放電灯点灯装置。
【請求項４】
前記第１の計数値が、前記放電灯の寿命を示す値として予め設定された寿命判定値以上になった場合、前記放電灯が寿命に達したことを報知する報知部をさらに備えることを特徴とする請求項１〜３のいずれかに記載の放電灯点灯装置。
【請求項５】
前記放電灯の明るさを制御するための、第２の計数値の計数開始を指示するための計数開始指示を受け付ける計数指示受付手段をさらに備え、
前記計数部は、前記計数指示受付手段によって前記計数開始指示が受け付けられた場合、前記特徴点の計数を、前記第２の計数値としてさらに開始し、
前記調光制御部は、前記計数部による前記第２の計数値に応じて前記放電灯の明るさを調節するための調節内容を設定するための設定部と、前記設定部に設定されている調節内容に基づいて前記計数部による前記第２の計数値に応じて前記放電灯の明るさを調節するスケジュール制御部とをさらに備えるものであることを特徴とする請求項１〜４のいずれかに記載の放電灯点灯装置。
【請求項６】
前記電源受付部により前記交流電源の入力が受け付けられた場合、前記放電灯における点灯用のフィラメントの予熱を開始する予熱部をさらに備え、
前記計数部は、前記電源受付部により前記交流電源の入力が受け付けられた場合、前記特徴点の計数を、第３の計数値としてさらに開始し、
前記調光制御部は、前記計数部により計数された第３の計数値が、予め設定された始動判定値に達した場合に、前記放電灯の発光を開始させるものであることを特徴とする請求項１〜５のいずれかに記載の放電灯点灯装置。
【請求項７】
放電灯と、放電灯を点灯させる放電灯点灯装置を備える照明器具において、前記放電灯点灯装置は、請求項１〜６のいずれかに記載の放電灯点灯装置であることを特徴とする照明器具。
【請求項８】
複数の放電灯に電力をそれぞれ供給する複数の放電灯点灯装置と、
前記複数の放電灯点灯装置への交流電源の供給を一括してオン、オフするスイッチとを備え、
前記複数の放電灯点灯装置は、請求項１〜６のいずれかに記載の放電灯点灯装置であることを特徴とする照明システム。
【発明の詳細な説明】
【技術分野】
【０００１】
本発明は、放電灯を点灯させる放電灯点灯装置、及びこれを用いた照明器具、照明システムに関する。
【背景技術】
【０００２】
照明用に用いられる放電灯の明るさ（光束）は、一定電力を供給する場合に点灯時間の経過とともに低下し、例えば放電灯の寿命初期の明るさを１００％とした場合に、寿命末期の明るさが７０％程度まで低下することが知られている。そのため、点灯時間の経過によって照度が低下した放電灯の寿命末期においても一定の明るさが得られるように、放電灯の明るさを調節する初期照度補正機能を備えた放電灯点灯装置が知られている（例えば、特許文献１参照。）。この放電灯点灯装置は、放電灯点灯装置への給電が行われている間の時間を放電灯の点灯時間として累積的に計時し、あらかじめわかっている放電灯の明るさの経時劣化特性を用いて、上記累積点灯時間に応じて放電灯に供給する電力量を調節し、放電灯の明るさが一定となるようにするものである。すなわち、寿命末期の明るさが７０％程度まで低下する（保守率７０％）の場合には、放電灯の点灯初期において７０％出力、すなわち調光比率７０％で放電灯を点灯し、初期の照度を維持するように放電灯の点灯時間の経過とともに出力を徐々に上げていくものである。
【０００３】
図１５は、背景技術に係る放電灯点灯装置１０１の構成を説明するためのブロック図である。図１５に示す放電灯点灯装置１０１は、商用交流電源ＡＣを整流するためのダイオードブリッジ１０２、放電灯点灯装置１０１に取り付けられた放電灯１０３へ電力を供給して点灯させるインバータ回路１０４、インバータ回路１０４の動作を制御するインバータ制御回路１０６、インバータ制御回路１０６の動作を制御して上述の初期照度補正機能を実現させるための照度補正制御部１０７、及びインバータ制御回路１０６と照度補正制御部１０７に動作用電源電圧を供給する制御用電源回路１０８とを備えている。
【０００４】
照度補正制御部１０７は、点灯時間カウンタ１０９、点灯時間記憶部１１０、調光テーブル１１１、及び調光制御部１１２を備え、例えば、初期照度補正機能を実行するためのプログラムを記憶したり調光テーブル１１１として用いられるＲＯＭ（Read Only Memory）、プログラムの実行中や実行後に生じるデータを一時的に保管するＲＡＭ（Random Access Memory）、点灯時間記憶部１１０として用いられる不揮発性メモリであるＥＥＰＲＯＭ（Electrically Erasable and Programmable Read Only Memory）及び点灯時間カウンタ１０９として用いられるタイマモジュール等を１チップに集積したいわゆるシングルチップマイクロコントローラにより構成されている。そして、マイクロコントローラの動作クロックを供給するための発振子１１３が、照度補正制御部１０７に接続されている。
【０００５】
そして、商用交流電源ＡＣが放電灯点灯装置１０１に供給されると、制御用電源回路１０８からインバータ制御回路１０６と照度補正制御部１０７とに動作用電源電圧が供給される。
【０００６】
点灯時間カウンタ１０９は、制御用電源回路１０８から動作用電源電圧が供給（同時にインバータ制御回路１０６によってインバータ回路１０４の発振が開始され、放電灯１０３が点灯）されると共に、前記タイマモジュールにより経過時間の計数を開始し、その計数時間を累積的に点灯時間記憶部１１０に記憶させる。また、制御用電源回路１０８からの動作用電源電圧の供給がなくなる（同時に放電灯１０３が消灯）と、経過時間の計数を終了する。
【０００７】
これにより、放電灯点灯装置への給電が行われている間の時間が、放電灯１０３の点灯時間として累積的に計時され、その累積点灯時間が、商用交流電源ＡＣによる電力供給がなくなった後も点灯時間記憶部１１０に記憶される。
【０００８】
調光テーブル１１１には、予め、放電灯１０３の累積点灯時間と、その累積点灯時間に対応する調光比率とが記憶されている。また、調光テーブル１１１は、光束減退を抑制し放電灯からの光出力が累積点灯時間にかかわらず一定に維持されるよう、調光比率を時間の経過とともに上げていくように設定されている。
【０００９】
そして、調光制御部１１２は、点灯時間記憶部１１０に記憶されている累積点灯時間に対応する調光比率で放電灯１０３を点灯させるべく、インバータ制御回路１０６へ制御信号を出力し、インバータ回路１０４から放電灯１０３への点灯用電力電力が調節されることにより、放電灯の明るさが調節され、初期照度補正が行われるようになっている。
【特許文献１】特開２００１−１５２７６号公報
【発明の開示】
【発明が解決しようとする課題】
【００１０】
ところで、上述のように、点灯時間カウンタ１０９をマイクロコントローラの内蔵タイマモジュールやソフトウェアカウンタを用いて構成した場合、その計時精度はマイクロコントローラの動作クロックを供給する発振子１１３によって決まる。発振子１１３としては、水晶発振子あるいはセラミック発振子が用いられている。しかしながらこれら発振子の発振周期は０．５％程度の誤差が存在するため上記のように時間を累積カウントする場合にはその誤差が問題となる。今、発振子の誤差を±０．５％、放電灯の定格寿命を１２０００時間とすると、放電灯の定格寿命である１２０００時間後では最大±６０時間の誤差が生じる。そうすると、このような報知機能を備えた複数の照明器具が同一空間内に設置され、同一のスイッチにより電源がオン、オフされる場合、各照明器具間の寿命末期における累積点灯時間の計時値の差は最大１２０時間となるため、同一空間内に同時期に設置された照明器具であるにも係わらず、器具によっては１２０時間のばらつきをもって放電灯の明るさが調節され得るという不都合があった。
【００１１】
また、このような照明器具において、累積点灯時間に基づいて、例えば放電灯の寿命末期をユーザに報知する報知機能を設けることが考えられるが、このような報知機能を備えた複数の照明器具が同一空間内に設置され、同一のスイッチにより電源がオン、オフされる場合、同一空間内に同時期に設置された照明器具であるにも係わらず、器具によっては１２０時間のばらつきをもって報知機能が動作し得ることになる結果、ユーザを混乱させたり、不快感を与えたりするという不都合もあった。
【００１２】
本発明は、このような問題に鑑みて為された発明であり、複数の放電灯点灯装置間における累積点灯時間の計時誤差を減少させることができる放電灯点灯装置、照明器具、及び照明システムを提供することを目的とする。
【課題を解決するための手段】
【００１３】
上述の目的を達成するために、本発明の第１の手段に係る放電灯点灯装置は、交流電源の入力を受け付ける電源受付部を備え、前記電源受付部により受け付けられた交流電源から得られた電力を放電灯に供給することにより前記放電灯を発光させる放電灯点灯装置であって、前記電源受付部により受け付けられた交流電源電圧波形の周期的な特徴点を計数する計数部と、前記計数部により累積的に計数された第１の計数値に応じて、前記放電灯の明るさを調節する調光制御部とを備えることを特徴としている。
【００１４】
また、上述の放電灯点灯装置において、前記調光制御部は、前記放電灯における発光時間の経過に伴う明るさの低下を抑制するべく、前記放電灯の明るさを調節するものであることを特徴としている。
【００１５】
そして、上述の放電灯点灯装置において、前記調光制御部は、前記電源受付部により前記交流電源の入力が受け付けられた状態において、前記放電灯を消灯させる消灯モードを有し、前記計数部は、前記消灯モードにおいては、前記第１の計数値を計数しないことを特徴としている。
【００１６】
さらに、上述の放電灯点灯装置において、前記第１の計数値が、前記放電灯の寿命を示す値として予め設定された寿命判定値以上になった場合、前記放電灯が寿命に達したことを報知する報知部をさらに備えることを特徴としている。
【００１７】
また、上述の放電灯点灯装置において、前記放電灯の明るさを制御するための、第２の計数値の計数開始を指示するための計数開始指示を受け付ける計数指示受付手段をさらに備え、前記計数部は、前記計数指示受付手段によって前記計数開始指示が受け付けられた場合、前記特徴点の計数を、前記第２の計数値としてさらに開始し、前記調光制御部は、前記計数部による前記第２の計数値に応じて前記放電灯の明るさを調節するための調節内容を設定するための設定部と、前記設定部に設定されている調節内容に基づいて前記計数部による前記第２の計数値に応じて前記放電灯の明るさを調節するスケジュール制御部とをさらに備えるものであることを特徴としている。
【００１８】
そして、上述の放電灯点灯装置において、前記電源受付部により前記交流電源の入力が受け付けられた場合、前記放電灯における点灯用のフィラメントの予熱を開始する予熱部をさらに備え、前記計数部は、前記電源受付部により前記交流電源の入力が受け付けられた場合、前記特徴点の計数を、第３の計数値としてさらに開始し、前記調光制御部は、前記計数部により計数された第３の計数値が、予め設定された始動判定値に達した場合に、前記放電灯の発光を開始させるものであることを特徴としている。
【００１９】
さらに、本発明の第２の手段に係る照明器具は、放電灯と、放電灯を点灯させる放電灯点灯装置を備える照明器具において、前記放電灯点灯装置は、上述のいずれかに記載の放電灯点灯装置であることを特徴としている。
【００２０】
そして、本発明の第３の手段に係る照明システムは、複数の放電灯に電力をそれぞれ供給する複数の放電灯点灯装置と、前記複数の放電灯点灯装置への交流電源の供給を一括してオン、オフするスイッチとを備え、前記複数の放電灯点灯装置は、上述のいずれかに記載の放電灯点灯装置であることを特徴としている。
【発明の効果】
【００２１】
このような構成の放電灯点灯装置、及びこれを用いた照明器具、照明システムは、他の放電灯点灯装置と共通する交流電源電圧波形の周期的な特徴点を累積的に計数することにより、放電灯の累積点灯時間を計時するので、複数の放電灯点灯装置間における累積点灯時間の計時誤差を減少させることができる。
【発明を実施するための最良の形態】
【００２２】
以下、本発明に係る実施形態を図面に基づいて説明する。なお、各図において同一の符号を付した構成は、同一の構成であることを示し、その説明を省略する。
【００２３】
（第１実施形態）
図１は、本発明の第１の実施形態に係る照明システムの構成の一例を示す図である。図１に示す照明システム１は、例えばビルの部屋Ａに用いられる照明システムであり、複数の照明器具２と、各照明器具２へ商用電源からの交流電圧Ｖacを供給するための配線と、複数の照明器具２への交流電圧Ｖacの供給を一括してオン、オフするスイッチＳＷ１とを備える。図２は、図１に示す照明器具２の外観の一例を示す斜視図である。図２に示す照明器具２は、照明器具本体３と、放電灯５を照明器具２に取り付けるためのコネクタ４と、放電灯５が寿命に達したことをユーザに報知するための表示部として発光ダイオード（ＬＥＤ）Ｄ１とを備える。そして、照明器具本体３の内部には、放電灯点灯装置６が格納されている。
【００２４】
図３は、図２に示す照明器具本体３の内部に格納されている放電灯点灯装置６の構成の一例を説明するためのブロック図である。図３に示す放電灯点灯装置６は、商用電源からの交流電圧Ｖacの入力を受け付ける端子台Ｔ１，Ｔ２、交流電圧Ｖacを整流するダイオードブリッジ７、放電灯点灯装置６に取り付けられた放電灯５へ電力を供給して点灯させるインバータ回路８、インバータ回路８の動作を制御するインバータ制御回路９、インバータ制御回路９の動作を制御して上述の初期照度補正機能を実現させるための照度補正制御部１０、インバータ制御回路９と照度補正制御部１０とに動作用電源電圧を供給する制御用電源回路１１、照度補正制御部１０に動作用クロック信号を供給する発振子１２、及びゼロクロス検出回路１３を備える。また、照度補正制御部１０は、点灯時間カウンタ１４、点灯時間記憶部１５、調光テーブル１６、調光制御部１７、及び報知部１８を備える。
【００２５】
インバータ回路８は、インダクタＬ１，Ｌ２、ダイオードＤ２、ＭＯＳＦＥＴ等からなるスイッチング素子Ｑ１，Ｑ２，Ｑ３、コンデンサＣ１，Ｃ２を備える。そして、ダイオードブリッジ７の出力端子間にはインダクタＬ１とスイッチング素子Ｑ１との直列回路が接続されている。さらに、スイッチング素子Ｑ１の両端間にはダイオードＤ２と平滑コンデンサＣ１との直列回路が接続され、この平滑コンデンサＣ１を電源としてインバータ回路８が駆動されるようになっている。
【００２６】
また、平滑コンデンサＣ１の両端間に、スイッチング素子Ｑ２，Ｑ３が直列接続され、低圧側のスイッチング素子Ｑ３の両端間には、直流カット用のコンデンサＣ２と共振用のインダクタＬ２と放電灯５との直列回路が接続される。また、放電灯５の両端に設けられたフィラメントの非電源側端子間には、インダクタＬ２とともに共振回路を構成するコンデンサＣ３が接続される。スイッチング素子Ｑ２，Ｑ３はインバータ制御回路９により高周波で交互にオン、オフされる。
【００２７】
インバータ回路８の動作は周知のものであり、インダクタＬ１とスイッチング素子Ｑ１とダイオードＤ２と平滑コンデンサＣ１とにより構成された昇圧チョッパ回路によりダイオードブリッジ７からの出力電圧を昇圧し、スイッチング素子Ｑ２，Ｑ３を交互にオン、オフさせることによって放電灯５に交番電流を流す。ここで、放電灯５への給電経路にはインダクタＬ２及びコンデンサＣ３が存在するので、スイッチング素子Ｑ２，Ｑ３のオン、オフの周期とインダクタＬ２及びコンデンサＣ３などによる共振周波数との関係によって、放電灯５への供給エネルギー量を制御し、放電灯５の明るさを調節することができる。
【００２８】
ゼロクロス検出回路１３は、交流電圧Ｖacの周期的な特徴点として、交流電圧Ｖacが０Ｖになるゼロクロスタイミングを検出し、検出信号Ｖoutを点灯時間カウンタ１４へ出力する。図４は、ゼロクロス検出回路１３の構成の一例を示す回路図である。図４に示すゼロクロス検出回路１３は、コンパレータ１９を用いて構成されている。そして、図５に示すように、コンパレータ１９によって、交流電圧Ｖacがダイオードブリッジ７によって全波整流されて得られた整流電圧Ｖ0を抵抗Ｒ１，Ｒ２により抵抗分圧して得られた電圧ＶAが、所定の基準電圧Ｖdよりも低電圧になった場合に、ゼロクロスタイミングを示す検出信号Ｖoutが、パルス状にハイレベルにされて点灯時間カウンタ１４へ出力される。基準電圧Ｖdは、検出信号Ｖoutとして適当なパルス信号が得られるように、電圧が設定されている。
【００２９】
なお、ゼロクロス検出回路１３は、電圧ＶAの代わりに交流電圧Ｖacの半波整流波形を用いて検出信号Ｖoutを出力する構成であってもよい。また、ゼロクロス検出回路１３は、交流電圧Ｖacの周期的な特徴点として、交流電圧Ｖacがピークとなるタイミングを検出するものであってもよい。
【００３０】
照度補正制御部１０は、例えば、初期照度補正機能を実行するためのプログラムや放電灯５の寿命を報知するためのプログラムを記憶したり、調光テーブル１６として用いられるＲＯＭ（Read Only Memory）、プログラムの実行中や実行後に生じるデータを一時的に保管したりするＲＡＭ（Random Access Memory）、点灯時間記憶部１５として用いられる不揮発性メモリであるＥＥＰＲＯＭ（Electrically Erasable and Programmable Read Only Memory）及び点灯時間カウンタ１４として用いられるカウンタモジュール等を１チップに集積したいわゆるシングルチップマイクロコントローラにより構成されている。そして、当該マイクロコントローラが、初期照度補正機能を実行するためのプログラムを実行することにより点灯時間カウンタ１４及び調光制御部１７として機能し、放電灯５の寿命を報知するためのプログラムを実行することにより報知部１８として機能する。
【００３１】
点灯時間カウンタ１４は、ゼロクロス検出回路１３から出力された検出信号Ｖoutのパルス、すなわち交流電圧Ｖacのゼロクロスタイミングを計数し、その計数値を累積的に点灯時間記憶部１５に記憶させる。調光テーブル１６には、予め、放電灯５における累積点灯時間に相当するゼロクロスタイミングの計数値と、その累積点灯時間に対応する調光比率とが関連付けられている。また、調光テーブル１６は、放電灯５の発光時間の経過に伴う光束減退を抑制し放電灯５からの光出力を累積点灯時間にかかわらず一定に維持するべく、調光比率を時間の経過とともに上げていくように設定されている。
【００３２】
調光制御部１７は、点灯時間記憶部１５に記憶されているゼロクロスタイミングの計数値（第１の計数値）に対応する調光比率で放電灯５を点灯させるべく、インバータ制御回路９へ制御信号を出力する。
【００３３】
報知部１８には発光ダイオードＤ１が接続されており、報知部１８は、点灯時間記憶部１５に記憶されているゼロクロスタイミングの計数値が、放電灯５の寿命を示す値として予め設定された寿命判定値以上になったことを検出した場合、放電灯５が寿命に達したことを報知するべく発光ダイオードＤ１を発光させる。
【００３４】
次に、上述のように構成された照明システム１、照明器具２、及び放電灯点灯装置６の動作を説明する。まず、図１において、ユーザがスイッチＳＷ１をオンすると、交流電圧Ｖacが部屋Ａに設置された複数の照明器具２に同時に供給開始され、各照明器具２が備える放電灯点灯装置６の端子台Ｔ１，Ｔ２によって、交流電圧Ｖacが受け付けられる。
【００３５】
次に、各放電灯点灯装置６において、端子台Ｔ１，Ｔ２によって受け付けられた交流電圧Ｖacが、ダイオードブリッジ７により整流されて整流電圧Ｖ0となる。そして、制御用電源回路１１によって、整流電圧Ｖ0から生成された回路動作用の電源電圧がインバータ制御回路９及び照度補正制御部１０へ供給され、インバータ制御回路９からの制御信号に応じてインバータ回路８が発振を開始して放電灯５への電力供給が開始され、放電灯５が点灯する一方、ゼロクロス検出回路１３によって、整流電圧Ｖ0から生成された電圧ＶAに基づきゼロクロスタイミングを示す検出信号Ｖoutがパルス状にハイレベルにされて点灯時間カウンタ１４へ出力される。さらに、点灯時間カウンタ１４によってゼロクロスタイミングが計数され、その計数値が累積して点灯時間記憶部１５に記憶される。
【００３６】
これにより、放電灯５が点灯している間、交流電圧Ｖacのゼロクロスタイミングが累積的に計数される。ゼロクロスタイミングは交流電圧波形の１周期に２回計数されるので、例えば電源周波数が５０Ｈｚであれば、ゼロクロスタイミングの１カウントは１０ｍｓｅｃに相当することとなる結果、ゼロクロスタイミングの累積計数値は、放電灯５の累積点灯時間を表すこととなる。
【００３７】
この場合、各放電灯点灯装置６には、同じ交流電圧Ｖacが供給され、各放電灯点灯装置６によって、それぞれ同じ交流電圧Ｖacの交流波形に基づいてゼロクロスタイミングが計数されるので、各放電灯点灯装置６は交流電圧Ｖacを基準に同期した状態で放電灯５の累積点灯時間を計時することとなり、複数の放電灯点灯装置６間における累積点灯時間の計時誤差を減少させることができる。
【００３８】
そして、調光制御部１７によって、点灯時間記憶部１５に記憶されているゼロクロスタイミングの累積計数値に対応する調光比率で放電灯５を点灯させるべく、インバータ制御回路９へ制御信号が出力され、インバータ回路８から放電灯５への点灯用電力が調節されることにより放電灯５の明るさが調節され、初期照度補正が行われる。この場合、図１に示す部屋Ａに設置された複数の照明器具２の間で、放電灯５の初期照度補正による明るさ調節におけるばらつきが減少される。
【００３９】
さらに、報知部１８によって、点灯時間記憶部１５に記憶されているゼロクロスタイミングの計数値が、放電灯５の寿命を示す値として予め設定された寿命判定値以上になったことが検出されると、報知部１８によって放電灯５が寿命に達したことを報知するべく発光ダイオードＤ１が発光される。この場合、図１に示す部屋Ａに設置された複数の照明器具２の間で、発光ダイオードＤ１が発光されるタイミングのばらつきが減少されるので、ユーザを混乱させたり、不快感を与えたりすることが抑制される。
【００４０】
図６は、図３に示す放電灯点灯装置６において、複数の放電灯点灯装置６間における累積点灯時間の計時誤差を説明するための図である。まず、図１に示す照明システム１において例えば符号Ｂで示す照明器具２と符号Ｃで示す照明器具２とでは、スイッチＳＷ１をオンして電源投入するタイミングによって、符号Ｂで示す照明器具２は図６に示すタイミングＴBから電圧ＶAの計数を開始し、符号Ｃで示す照明器具２は図６に示すタイミングＴCから電圧ＶAの計数を開始する場合がある。この場合、タイミングＴBからカウントを開始した器具はタイミングＴB′のゼロクロスタイミングから時間を計時し、タイミングＴCからカウントを開始した器具はタイミングＴC′のゼロクロスタイミングからの時間を計時するため交流電源の１／２周期分が誤差となる。すなわち電源周波数が５０Ｈｚの場合には１０ｍｓｅｃの差が生じる。
【００４１】
スイッチＳＷ１のオフ時にも同様のことが発生しうると考えられるので、１日１回スイッチＳＷ１をオン、オフすると、最大２０ｍｓｅｃの差が生じることとなる。そうすると、放電灯５の点灯時間を１日１０時間として、１００００時間点灯後（１０００日後）には最大２０秒の時間差が生じうる。一方、背景技術に係る図１５に記載の放電灯点灯装置１０１においては、発振子１２の精度（±０．５％）によって、１００００時間点灯後には装置間に最大１００時間の時間差が生じうる。このように、図１，２，３に記載の照明システム１、照明器具２、及び放電灯点灯装置６においては、複数の放電灯点灯装置６間で共通する交流電源電圧波形の周期的な特徴点を計数することにより、放電灯５の累積点灯時間を計時するので、複数の放電灯点灯装置６間における累積点灯時間の計時誤差を減少させることができる。
【００４２】
なお、報知部１８は、発光ダイオードＤ１を発光させることにより、放電灯５が寿命に達したことをユーザに報知する構成を示したが、発光ダイオード以外の表示手段を用いてもよく、あるいばブザー等を用いて音を発することにより報知を行う構成としてもよい。また、報知部１８は、放電灯５が寿命に達したことを音声により報知するための音声報知部として、例えば音声合成ＩＣ（Integrated Circuit）、アンプ、及びスピーカ等を備える構成としてもよい。また、報知部１８は、ユーザが認識可能に放電灯５の明るさを変化させることにより、放電灯５が寿命に達したことを報知するものとしてもよい。また、報知部１８は、例えば放電灯５が寿命に達したことを報知するための報知信号を出力する報知信号出力部を備え、例えば、照明器具２の外部に設けられた表示装置や、パーソナルコンピュータ等に対して報知信号を送信することにより、放電灯５が寿命に達したことを報知する構成としてもよい。
【００４３】
（第２実施形態）
次に、本発明の第２の実施の形態による照明システム、照明器具、及び放電灯点灯装置について説明する。図７は、本発明の第２の実施の形態による照明システムの構成の一例を示す図である。図７に示す照明システム１ａは、例えばビルの部屋Ａに用いられる照明システムであり、複数の照明器具２ａと、各照明器具２ａへ商用電源からの交流電圧Ｖacを供給するための配線と、複数の照明器具２ａへの交流電圧Ｖacの供給を一括してオン、オフするスイッチＳＷ１と、各照明器具２ａへカウンタリセットを指示するためのリセット信号を出力するリセットスイッチＳＷ２とを備える。また、図７に示す照明器具２ａと図２に示す照明器具２とは、照明器具２ａが、放電灯点灯装置６の代わりに放電灯点灯装置６ａを備える点で異なる。その他の構成は図２に示す照明器具２と同様であるのでその説明を省略する。
【００４４】
図８は、放電灯点灯装置６ａの構成の一例を説明するためのブロック図である。図８に示す放電灯点灯装置６ａと図１に示す放電灯点灯装置６とでは、下記の点で異なる。すなわち、図８に示す放電灯点灯装置６ａでは、照度補正制御部１０ａは、スケジュール管理用カウンタ２０、及びスケジュール設定部２１をさらに備え、スケジュール管理用カウンタ２０には、リセットスイッチＳＷ２が接続されている。また、照度補正制御部１０ａは、調光制御部１７の代わりに調光制御部１７ａを備え、点灯時間カウンタ１４の代わりに点灯時間カウンタ１４ａを備える。
【００４５】
その他の構成は図３に示す放電灯点灯装置６と同様であるのでその説明を省略し、以下本実施の形態の特徴的な点について説明する。
【００４６】
スケジュール管理用カウンタ２０は、ユーザがスイッチＳＷ１をオンすることによって、交流電圧Ｖacが放電灯点灯装置６ａに供給され、制御用電源回路１１により回路動作用の電源電圧が照度補正制御部１０ａへ供給されると、ゼロクロス検出回路１３から出力された検出信号Ｖoutのパルス信号について、スケジュールカウント値（第２の計数値）としてゼロから計数を開始する。また、スケジュール管理用カウンタ２０は、ユーザによってリセットスイッチＳＷ２がオンされたことを検出すると、計数値をリセットし、再びゼロクロス検出回路１３から出力された検出信号Ｖoutのパルス信号について、スケジュールカウント値としてゼロから計数を開始する。この場合、例えば、交流電圧Ｖacが５０Ｈｚであれば、スケジュールカウント値の１カウントは１０ｍｓｅｃに相当し、スケジュール管理用カウンタ２０は、スイッチＳＷ１又はリセットスイッチＳＷ２がオンされてからの経過時間を計時することとなる。
【００４７】
スケジュール設定部２１は、例えばＥＥＰＲＯＭにより構成された記憶部であり、放電灯５の点灯、消灯、調光等、放電灯５の明るさを制御するためのスケジュールデータ（調節内容）が、予め記憶されている。スケジュールデータは、スケジュール管理用カウンタ２０のスケジュールカウント値と、放電灯５の制御内容とを関連付けたもので、例えば、「（１）カウント値０〜１４３９９９９：ＦＵＬＬ点灯（初期照度補正状態）、（２）カウント値１４４００００（４時間に相当）〜１７９９９９９：調光点灯、（３）カウント値１８０００００（５時間に相当）〜４３１９９９９：ＦＵＬＬ点灯（初期照度補正状態）、（４）カウント値４３２００００（１２時間に相当）〜４６７９９９９：調光点灯、（５）カウント値４６８００００（１３時間に相当）以上：消灯」とされている。
【００４８】
なお、放電灯点灯装置６ａは、例えば、外部に接続されたパーソナルコンピュータ等の外部機器との間でデータ送受信可能に構成されたインターフェイス回路を備え、ユーザは、パーソナルコンピュータ等の外部機器を用いて当該インターフェイス回路を介してスケジュール設定部２１にスケジュールデータを設定可能にされていてもよい。当該インターフェイス回路は、例えば赤外線リモコン等の無線通信インターフェイスであってもよい。また、スケジュール設定部２１は、例えばディップスイッチ等の設定スイッチによる構成され、ユーザが設定スイッチを用いてスケジュールデータを設定する構成としてもよい。
【００４９】
調光制御部１７ａは、調光制御部１７と同様に、点灯時間記憶部１５に記憶されているゼロクロスタイミングの計数値に対応する調光比率で放電灯５を点灯させるべく、インバータ制御回路９へ制御信号を出力すると共に、さらにスケジュール管理用カウンタ２０とスケジュール設定部２１とを参照してスケジュールカウント値に対応するスケジュールデータの制御内容に基づき、放電灯５を点灯、消灯、調光等、させるべくインバータ制御回路９へ制御信号を出力する。
【００５０】
点灯時間カウンタ１４ａは、図３に示す点灯時間カウンタ１４と同様に交流電圧Ｖacのゼロクロスタイミングの計数値を累積的に点灯時間記憶部１５に記憶させると共に、調光制御部１７ａによって放電灯５が消灯されている消灯モードの場合はゼロクロスタイミングの計数を行わない。これにより、点灯時間カウンタ１４ａは、調光制御部１７ａにより放電灯５が点灯されている時間を、累積点灯時間として計数することができる。
【００５１】
次に、上述のように構成された照明システム１ａ、照明器具２ａ、及び放電灯点灯装置６ａの動作を説明する。まず、図７において、ユーザがスイッチＳＷ１をオンすると、交流電圧Ｖacが部屋Ａに設置された複数の照明器具２ａに同時に供給開始され、各照明器具２ａが備える放電灯点灯装置６ａの端子台Ｔ１，Ｔ２によって、交流電圧Ｖacが受け付けられる。
【００５２】
次に、各放電灯点灯装置６ａにおいて、図３に示す放電灯点灯装置６と同様にして、放電灯５への電力供給が開始され、調光制御部１７ａによって点灯時間記憶部１５に記憶されているゼロクロスタイミングの計数値に対応する調光比率で放電灯５が点灯（初期照度補正状態での点灯）される一方、ゼロクロス検出回路１３によって、ゼロクロスタイミングを示す検出信号Ｖoutがパルス状にハイレベルにされて点灯時間カウンタ１４ａへ出力される。さらに、点灯時間カウンタ１４ａによってゼロクロスタイミングが計数され、その計数値が累積して点灯時間記憶部１５に記憶される。
【００５３】
次に、午前８時の時報と共に、ユーザによってリセットスイッチＳＷ２がオンされると、スケジュール管理用カウンタ２０によって、ゼロクロス検出回路１３から出力された検出信号Ｖoutのパルス信号の数が、スケジュールカウント値（第２の計数値）としてゼロから計数される。なお、この場合、ユーザは、午前８時の時報と共にリセットスイッチＳＷ２をオンする代わりに、午前８時の時報と共にスイッチＳＷ１をオンするようにしてもよい。
【００５４】
次に、調光制御部１７ａによって、スケジュール管理用カウンタ２０のスケジュールカウント値とスケジュール設定部２１のスケジュールデータとに基づいて、スケジュールカウント値が０〜１４３９９９９、すなわち８時から１２時になる前までの間、放電灯５は初期照度補正状態でＦＵＬＬ点灯され、スケジュールカウント値が１４４００００（４時間に相当）〜１７９９９９９、すなわち１２時から１３時になる前までの間、放電灯５は消費電流を低減すべく調光点灯され、スケジュールカウント値が１８０００００（５時間に相当）〜４３１９９９９、すなわち１３時から２０時になる前までの間、放電灯５は初期照度補正状態でＦＵＬＬ点灯され、スケジュールカウント値が４３２００００（１２時間に相当）〜４６７９９９９、すなわち２０時から２１時になる前までの間、放電灯５は消費電流を低減すべく調光点灯され、スケジュールカウント値が４６８００００、すなわち２１時になると、消灯される。
【００５５】
これにより、ユーザが、スイッチＳＷ１又はリセットスイッチＳＷ２を時報に合わせてオンするだけで、スケジュール設定部２１のスケジュールデータに基づく点灯、消灯、調光等のスケジュール運転を行うことができる。
【００５６】
また、この場合、交流電圧Ｖacが供給され、各放電灯点灯装置６ａによって、それぞれ同じ交流電圧Ｖacの交流波形に基づいてゼロクロスタイミングが計数され、各放電灯点灯装置６ａにおいて交流電圧Ｖacを基準に同期した状態で、スイッチＳＷ１又はリセットスイッチＳＷ２がオンされてからの経過時間が計測されるので、複数の放電灯点灯装置６ａ間におけるスケジュールカウント値のずれが低減される結果、各放電灯点灯装置６ａ間におけるスケジュールデータに基づく点灯、消灯、調光動作のタイミングのずれが低減され、ユーザを混乱させたり、不快感を与えたりすることが低減される。
【００５７】
なお、スケジュール設定部２１のスケジュールデータとして、２４時間分のスケジュールデータを設定しておくことにより、スイッチＳＷ１又はリセットスイッチＳＷ２を時報に合わせて１回オンした後、毎日のスケジュール運転を連続して行わせることもできる。この場合、スケジュール運転の時間精度は、交流電圧Ｖacの周波数に依存するが、商用電源の周波数精度は±０．１％程度であるので、発振子の誤差±０．５％よりも精度が高く、背景技術に係る図１５に記載の放電灯点灯装置１０１よりもスケジュール運転の時間精度を向上させることができる。
【００５８】
（第３実施形態）
次に、本発明の第３の実施の形態による照明システム、照明器具、及び放電灯点灯装置について説明する。図９は、本発明の第３の実施の形態による照明システムの構成の一例を示す図である。図９に示す照明システム１ｂと、図１に示す照明システム１とは、照明システム１ｂが、照明器具２の代わりに照明器具２ｂを備える点で異なる。また、図９に示す照明器具２ｂと図２に示す照明器具２とは、照明器具２ｂが、放電灯点灯装置６の代わりに放電灯点灯装置６ｂを備える点で異なる。その他の構成は図２に示す照明器具２と同様であるのでその説明を省略する。
【００５９】
図１０は、放電灯点灯装置６ｂの構成の一例を説明するためのブロック図である。図１０に示す放電灯点灯装置６ｂと図１に示す放電灯点灯装置６とでは、下記の点で異なる。すなわち、図１０に示す放電灯点灯装置６ｂでは、照度補正制御部１０ｂは、調光制御部１７ａの代わりに調光制御部１７ｂを、スケジュール管理用カウンタ２０の代わりに点灯制御用カウンタ２０ａを備え、スケジュール設定部２１を備える代わりにカウンタ値設定用のディップスイッチＳＷ３が調光制御部１７ｂに接続されている。
【００６０】
その他の構成は図８に示す放電灯点灯装置６ａと同様であるのでその説明を省略し、以下本実施の形態の特徴的な点について説明する。
【００６１】
点灯制御用カウンタ２０ａは、ユーザがスイッチＳＷ１をオンすることによって、交流電圧Ｖacが放電灯点灯装置６ｂに供給され、制御用電源回路１１により回路動作用の電源電圧が照度補正制御部１０ｂへ供給されると、ゼロクロス検出回路１３から出力された検出信号Ｖoutのパルス信号について、点灯制御カウント値（第２の計数値）としてゼロから計数を開始する。この場合、例えば、交流電圧Ｖacが５０Ｈｚであれば、点灯制御カウント値の１カウントは１０ｍｓｅｃに相当し、点灯制御用カウンタ２０ａは、スイッチＳＷ１がオンされてからの経過時間を計時することとなる。
【００６２】
調光制御部１７ｂは、点灯制御用カウンタ２０ａの点灯制御カウント値と、ユーザによりディップスイッチＳＷ３に設定されたカウント設定値とを比較し、当該カウント値がカウント設定値を超えた場合に、点灯時間記憶部１５に記憶されているゼロクロスタイミングの計数値に対応する調光比率で放電灯５を点灯させるべく、インバータ制御回路９へ制御信号を出力し、放電灯５を点灯させる。
【００６３】
次に、上述のように構成された照明システム１ｂ、照明器具２ｂ、及び放電灯点灯装置６ｂの動作を説明する。まず、図９に示す照明システム１ｂにおいて、ユーザは、あらかじめ、例えばグループＤで示す照明器具２ｂのディップスイッチＳＷ３をカウンタ設定値「３００」（３秒に相当）に設定し、グループＥで示す照明器具２ｂのディップスイッチＳＷ３をカウンタ設定値「７００」（７秒に相当）に設定し、グループＦで示す照明器具２ｂのディップスイッチＳＷ３をカウンタ設定値「１１００」（１１秒に相当）に設定しておく。これにより、ディップスイッチＳＷ３のカウンタ設定値は、部屋Ａの入り口から遠い位置のグループに属する照明器具２ｂほど、大きなカウンタ設定値が設定される。
【００６４】
次に、図９において、ユーザがスイッチＳＷ１をオンすると、交流電圧Ｖacが部屋Ａに設置された複数の照明器具２ｂに同時に供給開始され、各照明器具２ｂが備える放電灯点灯装置６ｂの端子台Ｔ１，Ｔ２によって、交流電圧Ｖacが受け付けられ、図１０に示す各放電灯点灯装置６ｂにおいて、点灯制御用カウンタ２０ａによってゼロクロスタイミングの計数が開始される。また、調光制御部１７ｂは、点灯制御用カウンタ２０ａのカウント値がディップスイッチＳＷ３に設定されたカウント設定値に達するまでの間、消灯モードになっている。
【００６５】
図１１は、グループＤ，Ｅ，Ｆの各グループに属する放電灯点灯装置６ｂの動作を説明するためのタイミングチャートである。まず、各放電灯点灯装置６ｂにおける点灯制御用カウンタ２０ａのカウント値が「３００」（３秒）に達すると、部屋Ａの入り口に最も近いグループＤの放電灯点灯装置６ｂにおいて、調光制御部１７ｂにより、点灯時間記憶部１５に記憶されているゼロクロスタイミングの計数値に対応する調光比率で放電灯５を点灯させるべく、インバータ制御回路９へ制御信号が出力され、放電灯５が初期照度補正状態で点灯される。
【００６６】
次に、各放電灯点灯装置６ｂにおける点灯制御用カウンタ２０ａのカウント値が「７００」（７秒）に達すると、部屋Ａの入り口からグループＤの次に近いグループＥの放電灯点灯装置６ｂにおいて、調光制御部１７ｂにより、点灯時間記憶部１５に記憶されているゼロクロスタイミングの計数値に対応する調光比率で放電灯５を点灯させるべく、インバータ制御回路９へ制御信号が出力され、放電灯５が初期照度補正状態で点灯される。
【００６７】
次に、各放電灯点灯装置６ｂにおける点灯制御用カウンタ２０ａのカウント値が「１１００」（１１秒）に達すると、部屋Ａの入り口から最も遠い位置のグループＦの放電灯点灯装置６ｂにおいて、調光制御部１７ｂにより、点灯時間記憶部１５に記憶されているゼロクロスタイミングの計数値に対応する調光比率で放電灯５を点灯させるべく、インバータ制御回路９へ制御信号が出力され、放電灯５が初期照度補正状態で点灯される。
【００６８】
これにより、放電灯点灯装置６ｂは、ディップスイッチＳＷ３に設定されたカウント設定値に応じて、ユーザがスイッチＳＷ１をオンしてから放電灯５が点灯するまでの時間を変えることができる。従って、例えばユーザが、予めディップスイッチＳＷ３のカウンタ設定値を、部屋Ａの入り口から遠い位置のグループに属する照明器具２ｂほど、大きな値となるようにカウンタ設定値を設定することにより、ユーザがスイッチＳＷ１をオンすると、手前から奥に行くに従って、放電灯５が点灯するので、簡易な演出効果が得られる。
【００６９】
また、図１２に示すように、例えば、照明システム１ｂにおいてスイッチＳＷ１の代わりに焦電センサ等からなる人体センサＳ１等の各種センサを用いてもよい。また、調光制御部１７ｂは、点灯制御用カウンタ２０ａのカウント値がディップスイッチＳＷ３に設定されたカウント設定値に達した場合に放電灯５を点灯させる例を示したが、カウント設定値に達した場合に放電灯５を消灯させる構成としてもよい。
【００７０】
（第４実施形態）
次に、本発明の第４の実施の形態による照明システム、照明器具、及び放電灯点灯装置について説明する。
【００７１】
従来、放電灯を点灯させる場合、放電灯のフィラメントを予熱して放電の開始を容易にする予熱工程と、予熱工程を所定時間継続した後に放電灯に放電発光を開始させるための電圧を印加する始動工程と、始動工程を所定時間継続した後に放電灯に定常的な放電発光を行わせるための点灯工程とを行う点灯シーケンスを備えた放電灯点灯装置が知られている。図１６は、このような背景技術に係る放電灯点灯装置における点灯シーケンスのタイミングを生成するタイミング生成回路の回路図である。
【００７２】
図１６に示すタイミング生成回路１１４は、例えば定電流電源とカレントミラー回路、定電流源ＣＴＡ等から構成された定電流出力回路１１５と、定電流出力回路１１５からの定電流によって充電されるコンデンサ１１６と、電源電圧を分圧して始動工程及び点灯工程の開始タイミングを検出するための基準電圧Ｖy，Ｖsを生成する分圧抵抗１１７，１１８，１１９と、コンデンサ１１６の充電電圧Ｖｃが基準電圧Ｖｙを超えた場合に始動工程の開始タイミングを示すＳＴＡＲＴ信号を出力するコンパレータ１２０と、コンデンサ１１６の充電電圧Ｖｃが基準電圧Ｖｓを超えた場合に点灯工程の開始タイミングを示すＬＩＧＨＴ信号を出力するコンパレータ１２１とを備えている。
【００７３】
そして、図１７に示すように、このような背景技術に係る放電灯点灯装置において、電源がオンされると予熱工程となる一方、コンデンサ１１６の充電が開始されて充電電圧Ｖｃが上昇する結果、充電電圧Ｖｃが基準電圧Ｖｙに達すると始動工程に移行し、さらに充電電圧Ｖｃが基準電圧Ｖｓに達すると点灯工程に移行するようにされている。このようなタイミング生成回路１１４を用いた放電灯点灯装置においては、コンデンサ１１６の静電容量のばらつきによって点灯シーケンスのタイミングがばらつく結果となる。そのため、このような点灯シーケンスを備えた複数の放電灯点灯装置が同一空間内に設置されている場合、スイッチがオンされた後、放電灯点灯装置によっては点灯するまでに例えば数１００ｍｓｅｃ程度のばらつきが生じ、ユーザに違和感を与える場合があった。
【００７４】
図１３は、本発明の第４の実施の形態による照明システムの構成の一例を示す図である。図１に示す照明システム１と、図１３に示す照明システム１ｃとは、照明システム１ｃが、照明器具２の代わりに照明器具２ｃを備える点で異なる。また、図１３に示す照明器具２ｃと図２に示す照明器具２とは、照明器具２ｃが、放電灯点灯装置６の代わりに放電灯点灯装置６ｃを備える点で異なる。その他の構成は図２に示す照明器具２と同様であるのでその説明を省略する。
【００７５】
図１４は、放電灯点灯装置６ｃの構成の一例を説明するためのブロック図である。図１４に示す放電灯点灯装置６ｃと図３に示す放電灯点灯装置６とでは、下記の点で異なる。すなわち、図１４に示す放電灯点灯装置６ｃでは、調光制御部１７の代わりに調光制御部１７ｃを備え、照度補正制御部１０ｃは、点灯シーケンス用カウンタ２０ｂをさらに備える。
【００７６】
その他の構成は図３に示す放電灯点灯装置６と同様であるのでその説明を省略し、以下本実施の形態の特徴的な点について説明する。
【００７７】
点灯シーケンス用カウンタ２０ｂは、ユーザがスイッチＳＷ１をオンすることによって、交流電圧Ｖacが放電灯点灯装置６ｃに供給され、制御用電源回路１１により回路動作用の電源電圧が照度補正制御部１０へ供給されると、ゼロクロス検出回路１３から出力された検出信号Ｖoutのパルス信号について、シーケンスカウント値（第３の計数値）としてゼロから計数を開始する。この場合、例えば、交流電圧Ｖacが５０Ｈｚであれば、スケジュールカウント値の１カウントは１０ｍｓｅｃに相当し、点灯シーケンス用カウンタ２０ｂは、スイッチＳＷ１がオンされてからの経過時間を計時することとなる。
【００７８】
調光制御部１７ｃは、点灯シーケンス用カウンタ２０ｂのカウント値に基づいて、放電灯５を点灯させるための点灯シーケンスを実行する。具体的には、調光制御部１７ｃは、放電灯５の放電発光を開始させるタイミングを示すべく予め設定された始動開始カウント値、及び放電灯５を定常状態で発光させるタイミングを示すべく予め設定された点灯開始カウント値と、点灯シーケンス用カウンタ２０ｂのシーケンスカウント値とを比較し、シーケンスカウント値が始動開始カウント値に達する前まで図略の予熱回路によりフィラメントＦ１，Ｆ２の予熱を行わせ、シーケンスカウント値が始動開始カウント値に達すると放電灯５に放電発光を始動させるべくインバータ制御回路９へ制御信号を出力してインバータ制御回路９から放電灯５へ放電発光始動のための電圧を供給させ、シーケンスカウント値が点灯開始カウント値に達すると、点灯時間記憶部１５に記憶されているゼロクロスタイミングの計数値に対応する調光比率で放電灯５を点灯させるべく、インバータ制御回路９へ制御信号を出力し、放電灯５を点灯させる。
【００７９】
次に、上述のように構成された照明システム１ｃ、照明器具２ｃ、及び放電灯点灯装置６ｃの動作を説明する。まず、図１３において、ユーザがスイッチＳＷ１をオンすると、交流電圧Ｖacが部屋Ａに設置された複数の照明器具２ｃに同時に供給開始され、各照明器具２ｃが備える放電灯点灯装置６ｃの端子台Ｔ１，Ｔ２によって、交流電圧Ｖacが受け付けられる。
【００８０】
次に、図１４を参照して、各放電灯点灯装置６ｃにおいて、点灯シーケンス用カウンタ２０ｂによってゼロクロスタイミングの計数がシーケンスカウント値として開始される。そして、点灯シーケンス用カウンタ２０ｂのシーケンスカウント値が始動開始カウント値に達する前まで図略の予熱回路によりフィラメントＦ１，Ｆ２の予熱が行われる。
【００８１】
次に、点灯シーケンス用カウンタ２０ｂのシーケンスカウント値が始動開始カウント値に達すると、調光制御部１７ｃによって、放電灯５に放電発光を始動させるべくインバータ制御回路９へ制御信号が出力され、インバータ制御回路９から出力された制御信号に応じてインバータ回路８から放電灯５へ放電発光始動のための電圧が供給される。
【００８２】
次に、点灯シーケンス用カウンタ２０ｂのシーケンスカウント値が点灯開始カウント値に達すると、調光制御部１７ｃによって、点灯時間記憶部１５に記憶されているゼロクロスタイミングのカウント値に対応する調光比率で放電灯５を点灯させるべく、インバータ制御回路９へ制御信号が出力され、放電灯５が初期照度補正状態で点灯される。
【００８３】
この場合、図１３に示す照明システム１ｃにおいて、ユーザによりスイッチＳＷ１がオンされると、各放電灯点灯装置６ｃによって、それぞれ同じ交流電圧Ｖacの交流波形に基づいてゼロクロスタイミングが計数され、各放電灯点灯装置６ｃにおいて交流電圧Ｖacを基準に同期した状態で、スイッチＳＷ１がオンされてからの経過時間が点灯シーケンス用カウンタ２０ｂのシーケンスカウント値として計測されるので、複数の放電灯点灯装置６ｃ間における放電発光始動のタイミング、及び初期照度補正状態での点灯開始のタイミングのずれが電源周期の１／２（５０Ｈｚでは１０ｍｓｅｃ）以下に抑制される結果、ユーザに違和感を与えることが低減される。
【図面の簡単な説明】
【００８４】
【図１】本発明の第１の実施形態に係る照明システムの構成の一例を示す図である。
【図２】図１に示す照明器具の外観の一例を示す斜視図である。
【図３】図２に示す照明器具本体の内部に格納されている放電灯点灯装置の構成の一例を説明するためのブロック図である。
【図４】ゼロクロス検出回路の構成の一例を示す回路図である。
【図５】図４に示すゼロクロス検出回路の動作を説明するための図である。
【図６】図１に示す複数の放電灯点灯装置間における累積点灯時間の計時誤差を説明するための図である。
【図７】本発明の第２の実施の形態による照明システムの構成の一例を示す図である。
【図８】図７に示す放電灯点灯装置の構成の一例を説明するためのブロック図である。
【図９】本発明の第３の実施の形態による照明システムの構成の一例を示す図である。
【図１０】図９に示す放電灯点灯装置の構成の一例を説明するためのブロック図である。
【図１１】図１０に示す放電灯点灯装置の動作を説明するためのタイミングチャートである。
【図１２】図９に示す照明システムにおいて、スイッチとしてセンサを用いた変形例を示す図である。
【図１３】本発明の第４の実施の形態による照明システムの構成の一例を示す図である。
【図１４】図１３に示す放電灯点灯装置の構成の一例を説明するためのブロック図である。
【図１５】背景技術に係る放電灯点灯装置の構成を説明するためのブロック図である。
【図１６】背景技術に係る放電灯点灯装置における点灯シーケンスのタイミングを生成するタイミング生成回路の回路図である。
【図１７】図１６に示すタイミング生成回路の動作を説明するための図である。
【符号の説明】
【００８５】
１，１ａ，１ｂ，１ｃ  照明システム
２，２ａ，２ｂ，２ｃ  照明器具
５    放電灯
６，６ａ，６ｂ，６ｃ  放電灯点灯装置
７    ダイオードブリッジ
８    インバータ回路
９    インバータ制御回路
１０，１０ａ，１０ｂ，１０ｃ  照度補正制御部
１１  制御用電源回路
１２  発振子
１３  ゼロクロス検出回路
１４，１４ａ  点灯時間カウンタ（計数部）
１５  点灯時間記憶部
１６  調光テーブル
１７  調光制御部
１７ａ，１７ｂ  調光制御部（スケジュール制御部）
１７ｃ  調光制御部
１８  報知部
１９  コンパレータ
２０  スケジュール管理用カウンタ（計数部）
２０ａ      点灯制御用カウンタ（計数部）
２０ｂ      点灯シーケンス用カウンタ（計数部）
２１  スケジュール設定部（設定部）
Ｓ１  人体センサ
ＳＷ１      スイッチ（計数指示受付手段）
ＳＷ２      リセットスイッチ（計数指示受付手段）
ＳＷ３      ディップスイッチ（設定部）
Ｔ１，Ｔ２  端子台（電源受付部）
【図１】
2005209541.tif 000003
【図２】
2005209541.tif 000004
【図３】
2005209541.tif 000005
【図４】
2005209541.tif 000006
【図５】
2005209541.tif 000007
【図６】
2005209541.tif 000008
【図７】
2005209541.tif 000009
【図８】
2005209541.tif 000010
【図９】
2005209541.tif 000011
【図１０】
2005209541.tif 000012
【図１１】
2005209541.tif 000013
【図１２】
2005209541.tif 000014
【図１３】
2005209541.tif 000015
【図１４】
2005209541.tif 000016
【図１５】
2005209541.tif 000017
【図１６】
2005209541.tif 000018
【図１７】
2005209541.tif 000019